(57)【要約】      （修正有）【課題】出棺等に際する支持要員の支持による移動が容易で、支持要員の負担を軽減することが可能な棺桶を提供する。【解決手段】棺桶１は、長方形底板２と、底板の左右両端に固定立設された左右の側板３と、底板の前後両端に固定立設された前後の面板４とを備え、面一に仕立てられた下面１Ａに指先掛止部５を設けてある。指先掛止部は、底板の左右両端の下面側に形成した一方の切り欠き６Ａと、切り欠き６Ａに臨む各側板３の下端部内面３ｉとのペアからなる第１掛止溝７Ａと、底板の前後両端の下面側に形成した他方の切り欠き６Ｂと、切り欠き６Ｂに臨む各面板４の下端部内面４ｉとのペアからなる第２掛止溝７Ｂとで構成されており、指先掛止部に支持要員の支持指を掛止して支持する。【選択図】図５
0003216968.tif 000002
【実用新案登録請求の範囲】
【請求項１】
長方形底板と、この底板の左右両端に固定立設されて長手方向にのびる左右の側板と、当該底板の前後両端に固定立設されて短手方向にのびる前後の面板とを備え、下面に指先掛止部が設けられている棺桶において、
当該棺桶の前記下面は、底板の下面と、各側板の下面および各面板の下面とから構成されて面一に仕立てられており、前記指先掛止部は、底板左右両端の下面側に長手方向に延在して形成した一方の切り欠きと、この一方の切り欠きに臨む各側板の下端部内面とのペアからなり上向きに凹入して長手方向に延在する第１掛止溝、および、底板前後両端の下面側に短手方向に延在して形成した他方の切り欠きと、この他方の切り欠きに臨む各面板の下端部内面とのペアからなり上向きに凹入して短手方向に延在する第２掛止溝、の少なくとも一方の掛止溝で構成されていることを特徴とする棺桶。
【請求項２】
請求項１に記載した棺桶において、
前記底板が、上げ底構造の上位の底板と、当該上位の底板の下面に貼り合わせた下位の底板とから構成され、
前記下位の底板の長手方向および短手方向の少なくとも一方の長さが、前記上位の底板の長手方向および短手方向の少なくとも一方の長さよりも短く設定されており、
前記各切り欠きが、上位の底板と下位の底板との長手方向および短手方向の少なくとも一方の寸法差によって長手方向および短手方向の少なくとも一方に延在して生じる入隅部により構成されている棺桶。
【考案の詳細な説明】
【技術分野】
【０００１】
本考案は棺桶に係り、さらに詳しくは、出棺等に際する支持要員の支持による移動が容易で、支持要員の負担を軽減することが可能な棺桶に関する。
【背景技術】
【０００２】
従来より周知の標準的な棺桶は、長方形底板と、この底板の左右両端に固定立設されて棺桶の長手方向にのびる左右の側板と、当該底板の前後両端に固定立設されて棺桶の短手方向にのびる前後の面板とを備え、底板の下面と、各側板の下面および各面板の下面からなる棺桶の下面が面一な箱型のもので、上面の開口には蓋が嵌合される。
【０００３】
ところで、被葬者が納棺された棺桶の出棺等に際する移動が、例えば複数縁故者の支持によりなされる場合、通常、各側板寄り添って複数かつ同数の縁故者を並列配置し、各縁故者の親指を除いた各指［以下の説明では、「各指」を「支持指」という］で棺桶の左右両端部下面が支持される。
【０００４】
ところが、棺桶は、高品質かつ平滑度の高い板材で構成されている上に、下面が面一であるので、棺桶の左右両端部下面と各縁故者の支持指との間に横方向の滑りによる相対移動が発生しやすい。そのため、縁故者の支持による移動が困難で、縁故者の負担が大きくなる。つまり、出棺等に際する支持要員の支持による移動が困難で、支持要員の負担が大きくなる。
【先行技術文献】
【特許文献】
【０００５】
【特許文献１】特になし
【考案の概要】
【考案が解決しようとする課題】
【０００６】
本考案は、上記の実情に鑑みてなされたもので、出棺等に際する支持要員の支持による移動が容易で、支持要員の負担を軽減することが可能な棺桶の提供を目的とするものである。
【課題を解決するための手段】
【０００７】
前記目的を達成するために、本考案に係る棺桶は、長方形底板と、この底板の左右両端に固定立設されて長手方向にのびる左右の側板と、当該底板の前後両端に固定立設されて短手方向にのびる前後の面板とを備え、下面に指先掛止部が設けられている棺桶において、
当該棺桶の前記下面は、底板の下面と、各側板の下面および各面板の下面とから構成されて面一に仕立てられており、前記指先掛止部は、底板左右両端の下面側に長手方向に延在して形成した一方の切り欠きと、この一方の切り欠きに臨む各側板の下端部内面とのペアからなり上向きに凹入して長手方向に延在する第１掛止溝、および、底板前後両端の下面側に短手方向に延在して形成した他方の切り欠きと、この他方の切り欠きに臨む各面板の下端部内面とのペアからなり上向きに凹入して短手方向に延在する第２掛止溝、の少なくとも一方の掛止溝で構成されていることを特徴とするものである。
【０００８】
前記構成の棺桶によれば、複数の支持要員の支持指を、第１掛止溝、および、第２掛止溝、の少なくとも一方の掛止溝で構成された指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【０００９】
本考案に係る棺桶は、前記底板が、上げ底構造の上位の底板と、当該上位の底板の下面に貼り合わせた下位の底板とから構成され、
前記下位の底板の長手方向および短手方向の少なくとも一方の長さが、前記上位の底板の長手方向および短手方向の少なくとも一方の長さよりも短く設定されており、
前記各切り欠きが、上位の底板と下位の底板との長手方向および短手方向の少なくとも一方の寸法差によって長手方向および短手方向の少なくとも一方に延在して生じる入隅部により構成されている。
【００１０】
このように構成された棺桶では、各側板の下端部内面に臨んで当該下端部内面とのペアで第１掛止溝を構成するに必須の切り欠き、および、各面板の下端部内面に臨んで当該下端部内面とのペアで第２掛止溝を構成するに必須の切り欠き、の少なくとも一方の切り欠きが、上位の底板と下位の底板との長手方向および短手方向の少なくとも一方の寸法差により生じる入隅部によって容易に構成できるので、切削加工などにより各切り欠きを形成する煩わしい手間が省略できる。これにより、底板の製作能率が向上し、延いては棺桶の製作能率が向上することとなる。
【考案の効果】
【００１１】
本考案の棺桶は、複数の支持要員の支持指を、第１掛止溝、および、第２掛止溝、の少なくとも一方の掛止溝で構成された指先掛止部に掛止すれば、棺桶の下面と支持指との間に横方向の滑りによる相対移動が発生しない状態で棺桶を支持することができる。これにより、支持要員の支持による移動が容易になされ、支持要員の負担を軽減することが可能となる。
【図面の簡単な説明】
【００１２】
【図１】本考案に係る棺桶の各実施形態に適合する斜視図である。
【図２】図１の平面図である。
【図３】第１実施形態の説明図で、（ａ）は図２のＡーＡ線に沿う縦断正面図、（ｂ）は図２のＢーＢ線に沿う横断側面図、（ｃ）は底面図である。
【図４】第１実施形態の変形例を示す説明図で、（ａ）は図２のＡーＡ線に沿う縦断正面図、（ｂ）は図２のＢーＢ線に沿う横断側面図、（ｃ）は底面図である。
【図５】第２実施形態の説明図で、（ａ）は図２のＡーＡ線に沿う縦断正面図、（ｂ）は図１のＢーＢ線に沿う横断側面図である。
【図６】第２実施形態の底面図である。
【考案を実施するための最良の形態】
【００１３】
以下、本考案に係る棺桶の好ましい実施例を図面に基づいて説明する。図１は本考案に係る棺桶の各実施形態に適合する斜視図、図２は図１の平面図、図３は第１実施形態の説明図で、（ａ）は図２のＡーＡ線に沿う縦断正面図、（ｂ）は図２のＢーＢ線に沿う横断側面図、（ｃ）は底面図である。
【００１４】
図１、図２および図３（ａ），（ｂ），（ｃ）において、第１実施形態の棺桶１は、長方形底板２と、この底板２の左右両端に固定立設されて長手Ｌ方向にのびる左右の側板３，３と、底板２の前後両端に固定立設されて短手Ｗ方向にのびる前後の面板４，４とを備え、上面を開口した箱型のもので、開口には蓋（図示省略）が嵌合される。各側板３，３の長手Ｌ方向両端部と各面板４，４の短手Ｗ方向両端との仕口、底板２の左右両端と各側板３，３下端部との仕口および底板２の前後両端と各面板４，４下端部との仕口は、釘結合や円形ほぞと円形ほぞ穴からなるほぞ結合、あるいは複数の蟻状ほぞと同数の蟻溝からなるほぞ結合などで構成されている。
【００１５】
棺桶１の下面１Ａは、底板２の下面２Ａと、各側板３，３の下面３Ａおよび各面板４，４の下面４Ａとから構成されて面一に仕立てられており、底板２は上げ底構造の上位の底板２０と、この上位の底板２０の下面に、釘止め、あるいは、接着剤による貼着などの手法により貼り合わせた下位の底板２１とから構成されている。よって、本実施形態では、下位の底板２１の下面が底板２の下面２Ａとなる。
【００１６】
棺桶１の下面１Ａに指先掛止部５が設けられる。指先掛止部５は、底板２の左右両端の下面側に長手Ｌ方向に延在して形成した一方の切り欠き６Ａと、この一方の切り欠き６Ａに臨む各側板３，３の下端部内面３ｉとのペアからなり上向きに凹入して長手Ｌ方向に延在する第１掛止溝７Ａと、底板２の前後両端の下面側に短手Ｗ方向に延在して形成した他方の切り欠き６Ｂと、この他方の切り欠き６Ｂに臨む各面板４，４の下端部内面４ｉとのペアからなり上向きに凹入して短手Ｗ方向に延在する第２掛止溝７Ｂとで構成されている。
【００１７】
第１掛止溝７Ａの一方の切り欠き６Ａは、図３（ｂ）のように、下位の底板２１の短手Ｗ方向の長さＷ１を上位の底板２０の短手Ｗ方向の長さＷ２よりも短く設定し、上位の底板２０と下位の底板２１との短手Ｗ方向の寸法差ΔＷ、つまり、（Ｗ２−Ｗ１／２）によって上位の底板２０と下位の底板２１との合わせ目において長手Ｌ方向に延在して生じる入隅部Ｘ１により構成され、第２掛止溝７Ｂの他方の切り欠き６Ｂは、図３（ａ）のように、下位の底板２１の長手Ｌ方向の長さＬ１を上位の底板２０の長手Ｌ方向の長さＬ２よりも短く設定し、上位の底板２０と下位の底板２１との長手Ｌ方向の寸法差ΔＬ、つまり、（Ｌ２−Ｌ１／２）によって上位の底板２０と下位の底板２１との合わせ目において短手Ｗ方向に延在して生じる入隅部Ｘ２により構成されている。
【００１８】
前記構成の棺桶１によれば、複数の支持要員の支持指を、第１掛止溝７Ａおよび第２掛止溝７Ｂで構成された指先掛止部５に掛止すれば、棺桶１の下面２Ａと支持指との間に横方向の滑りによる相対移動が発生しない状態で棺桶１を支持することができる。これにより、支持要員の支持による移動が容易になされ、支持要員の負担を軽減することが可能となる。
【００１９】
各側板３，３の下端部内面３ｉに臨んで当該下端部内面３ｉとのペアで第１掛止溝７Ａを構成するに必須の一方の切り欠き６Ａが、上位の底板２０と下位の底板２１との短手Ｗ方向の寸法差ΔＷによって生じる入隅部Ｘ１によって容易に構成できるとともに、各面板４，４の下端部内面４ｉに臨んで当該下端部内面４ｉとのペアで第２掛止溝７Ｂを構成するに必須の他方の切り欠き６Ｂが、上位の底板２０と下位の底板２１との長手Ｌ方向の寸法差ΔＬによって生じる入隅部Ｘ２によって容易に構成できるので、切削加工などにより切り欠き６Ａ，６Ｂを形成する煩わしい手間が省略できる。これにより、底板２の製作能率が向上し、延いては棺桶１の製作能率が向上することとなる。
【００２０】
つぎに、第１実施形態の棺桶１の変形例について説明する。
図４は、第１実施形態の変形例を示す説明図で、（ａ）は図２のＡーＡ線に沿う縦断正面図、（ｂ）は図２のＢーＢ線に沿う横断側面図、（ｃ）は底面図である。なお、前記実施形態の棺桶１と同一部分には同一符号を付して重複する説明は適宜省略する。
【００２１】
図４（ａ），（ｂ），（ｃ）において、棺桶１は、指先掛止部５を第２掛止溝７Ｂのみで構成している。このように、指先掛止部５を第２掛止溝７Ｂのみで構成しても、複数の支持要員の支持指を、第２掛止溝７Ｂのみからなる指先掛止部５に掛止すれば、前述と同様に、支持要員の支持による移動が容易になされ、支持要員の負担を軽減することが可能となる。
【００２２】
つぎに、第２実施形態の棺桶１について説明する。
図５は第２実施形態の説明図で、（ａ）は図２のＡーＡ線に沿う縦断正面図、（ｂ）は図１のＢーＢ線に沿う横断側面図、図６は第２実施形態の底面図である。なお、前記第１実施形態の棺桶１と同一部分には同一符号を付して重複する説明は適宜省略する。
【００２３】
図５（ａ），（ｂ）および図６において、棺桶１の底板２は一枚の板材で構成されており、指先掛止部５は、底板２の左右両端の下面側に長手Ｌ方向に延在して形成した一方の切り欠き６Ａと、この切り欠き６Ａに臨む各側板３，３の下端部内面３ｉとのペアからなり上向きに凹入して長手Ｌ方向に延在する第１掛止溝７Ａと、底板２前後両端の下面側に短手Ｗ方向に延在して形成した他方の切り欠き６Ｂと、この切り欠６Ｂきに臨む各面板４，４の下端部内面４ｉとのペアからなり上向きに凹入して短手Ｗ方向に延在する第２掛止溝７Ｂとで構成されている。
【００２４】
前記構成の棺桶１によれば、複数の支持要員の支持指を、第１掛止溝７Ａおよび第２掛止溝７Ｂで構成された指先掛止部５に掛止すれば、棺桶１の下面２Ａと支持指との間に横方向の滑りによる相対移動が発生しない状態で棺桶１を支持することができる。これにより、支持要員の支持による移動が容易になされ、支持要員の負担を軽減することが可能となる。
【００２５】
第１実施形態の棺桶１の変形例として、図４（ａ），（ｂ），（ｃ）に示すように、指先掛止部５を第２掛止溝７Ｂのみで構成した棺桶１を挙げているが、指先掛止部５を第１掛止溝７Ａのみで構成した棺桶１であってもよい。また、図５（ａ），（ｂ）および図６に示した第２実施形態の棺桶１では、指先掛止部５を第２掛止溝７Ｂのみで構成した棺桶１であっても、あるいは、指先掛止部５を第１掛止溝７Ａのみで構成した棺桶１であってもよい。
【００２６】
本考案に係る棺桶１は、その趣旨および技術思想を逸脱しない範囲であれば、構造変形が可能である。
【産業上の利用可能性】
【００２７】
本考案の棺桶は、被葬者が納棺された棺桶の出棺等に際する移動を、複数縁故者などの支持要員の支持で行うのに有用である。
【符号の説明】
【００２８】
１  棺桶
１Ａ  棺桶の下面
２  底板
２Ａ  底板の下面
２０  上位の底板
２１  下位の底板
３  側板
３Ａ  側板の下面
３ｉ  側板の下端部内面
４  面板
４Ａ  面板の下面
４ｉ  面板の下端部内面
５  指先掛止部
６Ａ  一方の切り欠き
Ｘ１  入隅部
６Ｂ  他方の切り欠き
Ｘ２  入隅部
７Ａ  第１掛止溝
７Ｂ  第２掛止溝
Ｌ  長手
Ｌ１  下位の底板の長手方向の長さ
Ｌ２  上位の底板の長手方向の長さ
ΔＬ  上位の底板と下位の底板との長手方向の寸法差
Ｗ  短手
Ｗ１  下位の底板の短手方向の長さ
Ｗ２  上位の底板の短手方向の長さ
ΔＷ  上位の底板と下位の底板との短手方向の寸法差
【図１】
0003216968.tif 000003
【図２】
0003216968.tif 000004
【図３】
0003216968.tif 000005
【図４】
0003216968.tif 000006
【図５】
0003216968.tif 000007
【図６】
0003216968.tif 000008